(57)【特許請求の範囲】
【請求項１】
収容穀粒を下部の通風乾燥室１へ流下案内する傾斜板２を有した乾燥タンク３の四隅部４に前後側壁５及び左右側壁６に対して鈍角の隅切側壁７をこの前後側壁５と一体形成し、この隅切側壁７部で該傾斜板２の前後端部８を支持可能とすることを特徴とする穀粒乾燥機の乾燥タンク。
【発明の詳細な説明】
【０００１】
【発明の属する技術分野】
この発明は、穀粒乾燥機の乾燥タンクに関し、穀粒乾燥時の収容穀粒の流下を円滑に行わせると共に、乾燥タンク組立時の組立容易化を図る。
【０００２】
【発明が解決しようとする課題】
上部の乾燥タンクに収容した穀粒を下部の通風乾燥室へ流下させながら乾燥する穀粒乾燥機にあっては、この乾燥タンク内部に取付ける穀粒流下案内用の傾斜板の組付作業が面倒で手数を要する。この発明は、この傾斜板の組付を一人でも容易にできるようにしたものである。
【０００３】
【課題を解決するための手段】
この発明は、収容穀粒を下部の通風乾燥室１へ流下案内する傾斜板２を有した乾燥タンク３の四隅部４に前後側壁５及び左右側壁６に対して鈍角の隅切側壁７をこの前後側壁５と一体形成し、この隅切側壁７部で該傾斜板２の前後端部８を支持可能とすることを特徴とする穀粒乾燥機の乾燥タンクの構成とする。
【０００４】
【発明の効果】
乾燥タンク３の組立作業時には、前後側壁５間に傾斜板２を介挿させることにより、この傾斜板２が外側へ傾斜すると、前後端部８が前後側壁５と一体の隅切側壁７に支持されて、外側方へ転倒、落下を阻止される。このような傾斜板２の支持の状態で前後端部８を前後壁５乃至隅切側壁７に対してボルト締め等によって連結固定することができる。このため、傾斜板２を組付けるときの、特別の支持構成や操作を要することなく、一人作業でも簡単、容易な組付作業を行うことができる。
【０００５】
隅切側壁７は、乾燥タンク３の四隅部４にあって、前後側壁５及び、左右側壁６に対して鈍角に形成されるものであるから、収容穀粒の流下時の抵抗力を小さくして、円滑な流下を行わせるが、この隅切側壁７は、前後側壁５と一体構成として組立てられるものであるから、構成も簡単である。
【０００６】
【実施例】
穀粒乾燥機は、穀粒を循環移送しながら通風乾燥室１で熱風を当てて乾燥する循環熱風乾燥形態である。上部に乾燥タンク３を配置して、揚穀機９によって供給される穀粒を収容し、下部には前後側壁５間に亘る中央部の山形傾斜板１０とこの左右両側部の傾斜板２とを配置して、下方の通風乾燥室１へ穀粒を流下させる。この乾燥タンク３は、上部タンク１１と、該各傾斜板２，１０を有する下部タンク１２とから組立てられる。
【０００７】
この乾燥タンク３を搭載する下部の基部フレーム１３は、左右両側に乾燥網１４を有する通風乾燥室１を左右二連に配置し、これら左右の通風乾燥室１間にはバーナ１５による熱風を送込む熱風室１６を形成し、各通風乾燥室１の外側には、各通風乾燥室１を通風された排風を案内する排風室１７を形成する。１８は各排風室１７外側の外壁、１９は底部の八樋板で、この八樋板１９の下端部を前後方向に沿う移送螺旋２０が設けられ、各通風乾燥室１から繰出羽根２１の回転によって繰出される乾燥穀粒を受けて移送し、終端部から前記揚穀機９へ送り出して揚穀搬送させる。
【０００８】
前記乾燥タンク３は、前後側壁５と左右側壁６と四隅部４の隅切側壁７とによって方形状の箱形に構成し、これら各側壁５，６，７の接合部は外側に合せリブ２２を有してボルト２３で締付固定できる組付形態である。このうち隅切側壁７は、前後側壁５の左右両側端に取付けるが、一枚板によって一体形成するもよい。
【０００９】
下部タンク１２内に配置する山形傾斜板１０及び傾斜板２は、下端縁を前記乾燥網１４の上端縁に接続させた状態にして、前後端部８に形成の合せリブ２４を前後側壁５乃至隅切側壁７の内面に重合させてボルト２５で締付固定する。外側の傾斜板２の前後端部８は、上部が前記隅切側壁７に沿って重合するように斜めに形成される。
【００１０】
このような穀粒乾燥機の組立は、前記基部フレーム１３を組立てた後ちに乾燥タンク３の下部タンク１２を組付けるが、このとき山形傾斜板１０を中央部の熱風室１６上に覆うようにして載せて取付けて、前後側壁５を基部フレーム１３の前後側壁部上に取付ける。この山形傾斜板１０の合せリブ２４と前後側壁５との間をボルト２５で締付固定する。
【００１１】
続いて、外側の傾斜板２を前後側壁５間に介挿して、下端縁を下側の乾燥網１４上に支持させて、上端縁を外側方へ位置させて傾斜させる。このとき傾斜板２の前後端部８は前後側壁５と一体の隅切側壁７部に支持される。この状態でこれら傾斜板２の前後端部８に形成される合せリブ２４と前後側壁５及び隅切側壁７との重合部をボルト２５締めで固定する。
【００１２】
このようにして各傾斜板２，１０の組付けが終ると、外側の左右側壁６を前後側壁５間に亘って組付ける。この下部タンク１２の組立が終ると上部タンク１１の組立を行う。
なお、前記基部フレーム１３の外壁１８は、外側方へ回動させて、八樋板１９上から外方へ張出しうる構成とし、この外壁１８の開かれた開放部から移送螺旋２０への穀粒供給を行いうる構成としている。又、前記熱風室１６の前側壁側にはバーナ１５を連通させているが、このバーナ１５の横側には排風室１７と連通する吸引排風機を設けると共に、前記移送螺旋２０樋２６と連通する揚穀機９を配置している。
【００１３】
乾燥タンク３に収容された穀粒は、繰出羽根２１の回転によって通風乾燥室１内を流下される。ここで熱風室１６から排風室１７へ横断するように流れる熱風を受けて乾燥される。この繰出羽根２１によって繰出される穀粒は、移送螺旋２０樋２６を移送され、揚穀機を経て乾燥タンク３へ還元される。
この上部タンク１１内から下部タンク１２内を流下される穀粒は、四隅部４では隅切側壁７を案内されるため、穀粒の流下は円滑に行われ、穀粒の乾燥むらを生じ難い。下部タンク１２では山形傾斜板１０と外側の傾斜板２とに案内されて狭幅の通風乾燥室１内へ案内される。
【００１４】
図６〜図９において、上例と異なる点は、前記熱風室１６の下側に設けられる棚板２７の構成に関し、この棚板２７の取付構成を簡単化し、棚板２７上の掃除を行い易くする。基部フレーム１３の後側には、前記左右の排風室１７と吸引排風機２８との間を連通する排風ボックス２９を設け、この下側の後側壁３０に棚板２７のシャッタ３１を出入れ自在のシャッタ口３２を設け、外側から蓋４５で閉鎖しうる構成としている。
【００１５】
棚板２７は、左右両側端に前記繰出羽根２１の回転周面上に接近する案内板３３を有し、後半部分には掃除口３４を開設して、この掃除口３４の前縁、後縁部には横方向に亘るスクレパー３５，３６が形成される。この棚板２７の下側には、シャッタ３１の左右両側部を前後摺動自在にして受けるレール３７を有し、このレール３７で案内されるシャッタ３１の上側面にスクレパー３５，３６が接近する。
【００１６】
又、シャッタ３１の下側には前後方向操作ロッド３８が設けられる。この操作ロッド３８の後端のフック３９をシャッタ３１後端の係止部４０へ係合させることができ、この係止部４０へフック３９を係合することによって前端部のハンドル４１を前側壁４２から前方へ引き抜いて、シャッタ３１を前後方向Ａへ移動させて、スクレパー３５，３６による堆積塵埃の掃除を行わせることができる。
【００１７】
前記棚板２７上面の堆積塵埃を掃除するときは、前記前側壁４２のバーナ１５ケース４３を前側へ回動して、熱風室１６の前面口４４を開いて、この前面口４４からスクレパー等の掃除具を差込んで掃除する。
図１０，図１１において、上例と異なる点は、前記穀粒乾燥機の乾燥運転を行うコントローラにおいて、電源をＯＮすることによって通風乾燥が行われる状態（通風乾燥モード）に設定し、穀粒の張込量を設定して、乾燥スイッチをＯＮすることにより、自動的に通風運転が行われるように構成したものである。
【００１８】
コントロールボックス４６には、乾燥タンク３への穀粒の張込を行う張込スイッチ４７、バーナ１５や吸引排風機２８、繰出羽根２１の各部を駆動して乾燥を開始する乾燥スイッチ４８、乾燥穀粒を機外へ取出す排出スイッチ４９、乾燥作業を停止する停止スイッチ５０等を配置する。又、これら各スイッチの下方には、乾燥穀粒の種類に応じた乾燥速度を設定する乾燥設定スイッチ５１と、その設定表示ランプ５２、乾燥目標の設定水分値を設定する水分設定スイッチ５３と、その設定表示ランプ５４、及び、乾燥タンク３に対する穀粒の張込量を設定する張込量設定スイッチ５５と、その設定表示ランプ５６等を配置している。
【００１９】
これら各設定スイッチ５１，５３，５５等は一回押す毎に設定表示のＬＥＤ表示ランプ５２，５４，５６は左側から右側へ順次移動し、右端を過ぎると左端へ移るようになっている。又、張込量表示ランプ５６では、右端に通風乾燥ランプ５７があって、外気を通風乾燥室１に送風して乾燥する通風乾燥が行われることを（通風乾燥モード）表示するようになっている。
【００２０】
この通風乾燥ランプ５７は、前記電源スイッチをＯＮすることによって転倒され、乾燥スイッチ４８をＯＮすることによって通風乾燥が開始される。
なお、穀粒が乾燥タンク３に張込まれているときは、張込スイッチ４７のＯＮによって通風乾燥を開始させるようにしてもよい。又、張込量設定後に張込スイッチ４７をＯＮするか、乾燥スイッチ４８をＯＮするか、排出スイッチ４９をＯＮするか、又は、停止スイッチ５０をＯＮすることによって通風乾燥を開始するように構成するもよい。
【００２１】
ただし、乾燥作業の形態としては、穀粒張込後に通風乾燥運転を行い、その後に熱風乾燥を行うことが多く、安全な乾燥を行うことができるからである。
【図面の簡単な説明】
【図１】乾燥タンク一部の斜視図。
【図２】乾燥タンクの組立手順を示す斜視図。
【図３】乾燥タンクの組立手順を示す斜視図。
【図４】乾燥タンクの組立手順を示す斜視図。
【図５】穀粒乾燥機の正面図。
【図６】穀粒乾燥機の一部の正面図。
【図７】棚板部の正面図と、その平面図。
【図８】シャッタ操作を示す斜視図。
【図９】シャッタ操作を示す斜視図。
【図１０】コントロールパネルの正面図。
【図１１】その一部のフローチャート。
【符号の説明】
１    通風乾燥室
２    傾斜板
３    乾燥タンク
４    四隅部
５    前後側壁
６    左右側壁
７    隅切側壁
８    前後端部
【図１】
0003646375.tif 000002
【図２】
0003646375.tif 000003
【図３】
0003646375.tif 000004
【図４】
0003646375.tif 000005
【図５】
0003646375.tif 000006
【図６】
0003646375.tif 000007
【図７】
0003646375.tif 000008
【図８】
0003646375.tif 000009
【図９】
0003646375.tif 000010
【図１０】
0003646375.tif 000011
【図１１】
0003646375.tif 000012